(57)【要約】      （修正有）【課題】天板の受力が均質に底板に伝達でき、回転の円滑を図ることができ、且つ使用寿命も長くなる回転盤を提供する。【解決手段】天板６０と底板２０を備える回転盤１００であって、天板６０と底板２０の間には、固定リング４０をさらに備え、固定リング４０には、その内周と外周に沿って等間隔で複数のローラ孔が設けられ、ローラ孔には転動可能な複数のローラがガイドされ、天板６０と底板２０には、円周に沿って溝状のレールがそれぞれ２つ設けられ、天板６０と底板２０は、固定リングを挟みながら、固定リングによりガイド・保持されているローラが天板６０と底板２０におけるレール内に転動できるよう、嵌合されている。【選択図】図１
0003226877.tif 000002
【実用新案登録請求の範囲】
【請求項１】
天板と底板を備える回転盤であって、
前記天板と前記底板の間には、固定リングをさらに備え、
前記固定リングには、その内周と外周に沿って等間隔で複数のローラ孔が設けられ、前記ローラ孔には転動可能な複数のローラがガイドされ、
前記天板と前記底板には、円周に沿って溝状なレールがそれぞれ２つ設けられ、
前記天板と前記底板は、前記固定リングを挟みながら、前記固定リングによりガイド・保持されている前記ローラが前記天板と底板における前記レール内に転動できるよう、嵌合されている、
ことを特徴とする回転盤。
【請求項２】
前記複数のローラ孔は前記固定リングの外周に沿って等間隔で設けられている複数の第１ローラ孔と、前記固定リングの内周に沿って等間隔で設けられている複数の第２ローラ孔とを含み、複数の前記第１ローラ孔と複数の前記第２ローラ孔は互いに等間隔でずれて配置されている、
ことを特徴とする請求項１に記載の回転盤。
【請求項３】
前記底板には第１嵌合突部が設けられ、前記天板には第２嵌合突部が設けられ、前記底板と前記天板は前記第２嵌合突部と第１嵌合突部を通じて一体に嵌合されている、
ことを特徴とする請求項１又は２のいずれかに記載の回転盤。
【考案の詳細な説明】
【技術分野】
【０００１】
本実用新案は回転盤に関わり、具体的には回転椅子に用いられる回転盤に関するものである。
【０００２】
従来、回転椅子用回転盤は、下記特許文献１のように、天板と底板で構成され、天板と底板との間には連接件が設けられている。また、連接件は、天板と固接されており、底板に対して摺動可能に底板と連接されている。
【先行技術文献】
【特許文献】
【０００３】
【特許文献１】ＣＮ１０２３８９２２５Ａ号公報
【考案の概要】
【０００４】
しかしながら、この種の回転盤は二重構造であり、構造が簡単であるが、摺動または回転を支える連接件は故障しやすく、寿命も短い問題点があった。
また、天板で受けた重力が均質に底板に伝われることができず、摺動または回転もスムースにできない問題点もあった。
【０００５】
本実用新案の目的は、これらの問題点に着目して従来の回転盤を改良してなされたもので、天板の受力が均質に底板に伝達でき、回転の円滑を図ることができ、且つ使用寿命も長くなる回転盤を提供することにある。
【課題を解決するための手段】
【０００６】
本実用新案にかかる回転盤は、天板と底板を備える回転盤であって、前記天板と前記底板の間には、固定リングをさらに備え、前記固定リングには、その内周と外周に沿って等間隔で複数のローラ孔が設けられ、前記ローラ孔には転動可能な複数のローラがガイドされ、前記天板と前記底板には、円周に沿って溝状なレールがそれぞれ２つ設けられ、前記天板と前記底板は、前記固定リングを挟みながら、前記固定リングによりガイド・保持されている前記ローラが前記天板と底板における前記レール内に転動できるよう、嵌合されている。
【０００７】
より好ましくは、前記複数のローラ孔は前記固定リングの外周に沿って等間隔で設けられている複数の第１ローラ孔と、前記固定リングの内周に沿って等間隔で設けられている複数の第２ローラ孔とを含み、複数の前記第１ローラ孔と複数の前記第２ローラ孔は互いに等間隔でずれて配置されている。
【０００８】
さらに好ましくは、前記底板には第１嵌合突部が設けられ、前記天板には第２嵌合突部が設けられ、前記底板と前記天板は前記第２嵌合突部と第１嵌合突部を通じて一体に嵌合されている。
【考案の効果】
【０００９】
本実用新案にかかる回転盤によれば、天板からの受力が均質に底板に伝達でき、安定且つ円滑な回転が得ることができ、且つ回転盤の使用寿命も長くなる。
【図面の簡単な説明】
【００１０】
【図１】本考案実施形態の回転盤の構成を示す分解図である。
【図２】本考案実施形態の回転盤の底板を示す図面であり、（ａ）底板の平面図であり、（ｂ）底板のＡ−Ａ線断面図である。
【図３】本考案実施形態の回転盤の固定リングを示す平面図である。
【図４】本考案実施形態の回転盤の天板を示す図面であり、（ａ）天板の底面図であり、（ｂ）天板のＢ−Ｂ線断面図である。
【図５】天板、固定リングおよび底板が組み合わせる前の構造を説明するための局部拡大説明図である。
【考案を実施するための形態】
【００１１】
以下、回転椅子に利用された本実用新案の回転盤の実施形態を図面に従って説明する。
【００１２】
図１は、本実施形態の回転盤１００の構造を示す分解図である。
図１に示すように、本実施形態の回転盤１００は、底板２０と、固定リング４０と、天板６０と、を有する。
【００１３】
前記底板２０は、プラスチックでリング状に構成されている。本実施形態の回転盤が回転椅子に取り付けられる際、地面に当たる面を前記底板２０の下面とし、その反対の面を前記底板２０の上面とした場合、図１、図２（ａ）（ｂ）及び図５に示すように、前記底板２０の上面における外周の内側には円周に沿って前記底板２０の内周へ突出した複数の第１嵌合突部２１が設けられている。図２（ａ）に示すように、本実施形態では、前記第１嵌合突部２１は円周に沿って等間隔で１２個設けられている。また、図２（ｂ）及び図５に示すように、前記第１嵌合突部２１の断面が鷹の嘴のように形成され、前記第１嵌合突部２１の上面が円弧状に形成されている。
【００１４】
また、前記底板２０には、図２（ａ）（ｂ）及び図５に示すように、２つの溝状なレール２２とレール２３がそれぞれ前記底板２０の内周に沿って設けられている。図２（ｂ）及び図５に示すように、前記レール２２と前記レール２３の断面形状が略碗状に形成されている。
【００１５】
前記固定リング４０は、プラスチックでリング状に構成されている。図３に示すように、前記固定リング４０の外周側には、複数の第１ローラ孔４２が設けられ、前記固定リング４０の内周側には、複数の第２ローラ孔４３が設けられている。前記第１ローラ孔４２は円周に沿って等間隔で６個設けられ、前記第２ローラ孔４３は円周に沿って等間隔で６個設けられ、第１ローラ孔４２ａ〜４２ｆと第２ローラ孔４３ａ〜４３ｆは互いに等間隔でずれて配置されている。第１ローラ孔４２ａ〜４２ｆの中心を連結する外周側の円の直径が前記レール２２の中心を通る円の直径とほぼ同じとなり、第２ローラ孔４３ａ〜４３ｆの中心を連結する内周側の円の直径が前記レール２３の中心を通る円の直径とほぼ同じとなるようされている。また、第１ローラ孔４２ａ〜４２ｆの直径と第２ローラ孔４３ａ〜４３ｆの直径は同じく設定され、ともに後述するローラ８０の直径よりやや大きく設定されている。そして、前記固定リング４０の外周縁の直径は第１ローラ孔４２ａ〜４２ｆの中心を連結する外周側の円の直径と第１ローラ孔４２ａ〜４２ｆの半径との合計と同じ又はやや大きくなるようされており、前記固定リング４０の内周縁の直径は第２ローラ孔４３ａ〜４３ｆの中心を連結する内周側の円の直径と第２ローラ孔４３ａ〜４３ｆの半径との差と同じまたはやや小さくなるようされている。
【００１６】
前記天板６０は、プラスチックでリング状に構成されている。本実施形態の回転盤が回転椅子に取り付けられる際、回転椅子の座部に当たる面を前記天板６０の上面とし、その反対の面を前記天板６０の下面とした場合、図１、図４（ａ）（ｂ）に示すように、前記天板６０の上面における内周側には円周に沿って前記天板６０のリング中心へ突出した複数の取り付け部６１が設けられている。図１及び図４（ａ）に示すように、本実施形態では、前記取り付け部６１は円周に沿って等間隔で４個設けられている。また、４つの前記取り付け部６１にはそれぞれ取り付け孔６２が設けられている。回転盤が回転椅子に取り付けられる際、４つの前記取り付け孔６２を通るボルトなどで前記天板６０は、回転椅子に取り付けられるようになる。
【００１７】
また、前記天板６０の下面には、図４（ａ）（ｂ）及び図５に示すように、２つの溝状なレール６３とレール６４が設けられている。図４（ｂ）及び図５に示すように、前記レール６３とレール６４の断面形状が略碗状に形成されている。前記レール６３の中心を通る円の直径が前記レール２２の中心を通る円の直径とほぼ同じとなり、つまり、第１ローラ孔４２ａ〜４２ｆの中心を連結する外周側の円の直径とほぼ同じとされている。また、前記レール６４の中心を通る円の直径が前記レール２３の中心を通る円の直径とほぼ同じとなり、つまり、第２ローラ孔４３ａ〜４３ｆの中心を連結する外周側の円の直径とほぼ同じとされている。
【００１８】
さらに、図４（ｂ）及び図５に示すように、前記天板６０の下面における外周側には外周に亘って外へ突出した第２嵌合突部６５が設けられている。前記第２嵌合突部６５の下面が円弧状に形成されている。前記第２嵌合突部６５は前記第１嵌合突部２１と対応しており、前記天板６０が前記底板２０に嵌合される際、円弧状となる前記第２嵌合突部６５の下面が円弧状となる第１嵌合突部２１の上面と当接しながら、前記第２嵌合突部６５と第１嵌合突部２１が互いに弾性変形しつつ、一体に嵌合されるようになる。
【００１９】
以下は、回転盤１００の組み立てについて図５に従って説明する。
まず、１２個のボール状の鋼製ローラ８０をそれぞれ６つの第１ローラ孔４２ａ〜４２ｆと６つの第２ローラ孔４３ａ〜４３ｆの中に入れて、ローラ８０がすべて前記レール２２と前記レール２３に入るように前記固定リング４０を前記底板２０の上にセットさせる。次に、１２個のローラ８０を前記天板６０の下面における前記レール６３とレール６４に入るように前記天板６０を前記底板２０に嵌合させる。つまり、すべてのローラ８０はそれぞれ前記固定リング４０の第１ローラ孔４２ａ〜４２ｆと第２ローラ孔４３ａ〜４３ｆによりガイドされながら、前記レール２２、レール２３及び前記レール６３、レール６４内に入るとともに、前記レール２２、レール２３及び前記レール６３、レール６４内で転動可能に前記底板２０と前記天板６０により保持されている。そして、前記底板２０と前記天板６０は前記第２嵌合突部６５と第１嵌合突部２１を通じて一体に嵌合される。
【００２０】
そして、一体となった回転盤１０では、前記天板６０はローラ８０が前記レール２２、レール２３及び前記レール６３、レール６４内で転動することで、地面に置く前記底板２０に対して回動するようになる。そして、前記天板６０は椅子の座面に取り付けられた場合、椅子の座面は前記底板２０に対して回動することができ、椅子は回転椅子となる。
【００２１】
本実施形態の回転盤１００によれば、次のような作用効果がある。
（１）天板の下面および底板の上面には、円周に沿って溝状なレールがそれぞれ２つ設けられているとともに、レール内で転動するローラをガイド・保持する固定リングが設けられている。そのため、ローラが２つのレール内で転動することができ、通常１つのレール内で転動する従来技術に比べ、回転盤の回転がより安定となり、ローラが固定リングによってガイド・保持されることによって回転盤の回転が更にスムースとなり、回転盤の寿命も長くなる。
（２）前記固定リング４０は、その外周側に複数の第１ローラ孔４２が円周に沿って等間隔で設けられ、その内周側に複数の第２ローラ孔４３が円周に沿って等間隔で設けられ、第１ローラ孔４２と第２ローラ孔４３は互いに等間隔でずれて配置されている。そのため、複数のローラが回転盤の円周上に均等に配置・保持されることによって、天板で受けた力がローラを通じて均質に底板に伝達され、回転盤の回転がより安定できるとともに、回転盤の寿命もより長くなる。
（３）前記底板２０の上面における外周の内側には円周に沿って前記底板２０の内周へ突出した複数の第１嵌合突部２１が設けられ、前記天板６０の下面における外周側には外周に亘って外へ突出した第２嵌合突部６５が設けられ、前記底板２０と前記天板６０は前記第２嵌合突部６５と第１嵌合突部２１を通じて一体に嵌合される。そのため、簡単な構造で天板と底板は一体に嵌合されることができる。
【００２２】
なお、本実施形態の回転盤の構成については次のように変更してもよい。
本実施形態の回転盤は椅子に応用されているが、これに限定せず、例えば、ソファー、テーブル、ベッドなどのその他の家具に応用されてもよいし、家具以外の道具などに応用されてもよい。
【００２３】
本実施形態の回転盤を構成する底板、固定リング、天板は、プラスチックで構成されているが、これに限定せず、例えば、底板、固定リング、天板のうち、少なくとも１つの構成部材がアルミ合金や木材、スチール又はその合金材料で構成されてもよい。
【００２４】
本実施形態の回転盤を構成する底板、天板にはそれぞれ２つのレールが設けられているが、これに限定せず、例えば、それぞれ３つまたは４つのレールが設けられてもよい。
【００２５】
本実施形態の回転盤を構成する底板における第１嵌合突部２１は円周に沿って等間隔で１２個設けられているが、これに限定せず、例えば、３〜２４個の範囲内の複数個も設けられてもよいし、前記第２嵌合突部６５のように設けられてもよい。または、前記第１嵌合突部２１は前記第２嵌合突部６５のように設けられ、前記第２嵌合突部６５は前記第１嵌合突部２１のように設けられてもよい。
【符号の説明】
【００２６】
１００          回転盤
２０            底板
２１            第１嵌合突部
２２            レール
２３            レール
４０            固定リング
４２ａ〜４２ｆ  第１ローラ孔
４３ａ〜４３ｆ  第２ローラ孔
６０            天板
６３            レール
６４            レール
６５            第２嵌合突部
８０            ローラ
【図１】
0003226877.tif 000003
【図２】
0003226877.tif 000004
【図３】
0003226877.tif 000005
【図４】
0003226877.tif 000006
【図５】
0003226877.tif 000007